(57)【要約】【課題】ピンラック式の汚泥掻寄機において、ピンラック駆動装置でスカムスキマを連動するようにした汚泥掻寄機を提供すること。【解決手段】支持ポスト３から後方に、スカムを掻き寄せるスカムブレードビーム４を略水平に延設するとともに、スカムブレードビーム４の後方に可動式のスカムスキマ５を配設し、スカムスキマ５とスカムブレードビーム４の間に、スカムブレードビーム４の一部が当接することによりスカムスキマ５を操作するリンク機構６を介設する。【選択図】図１
2008073660.tif 000002
【特許請求の範囲】
【請求項１】
下面に多数の汚泥掻寄用フライトを取り付けたビームを、略矩形運動をするピンラック駆動装置に支持ポストを介して連結し、ビームの略矩形運動により、池底に沈積した汚泥を掻き寄せるようにした汚泥掻寄機において、支持ポストから後方に、スカムを掻き寄せるスカムブレードビームを略水平に延設するとともに、該スカムブレードビームの後方に可動式のスカムスキマを配設し、該スカムスキマとスカムブレードビームの間に、スカムブレードビーム又はビームの一部が当接することによりスカムスキマを操作するリンク機構を介設したことを特徴とする汚泥掻寄機。
【発明の詳細な説明】
【技術分野】
【０００１】
本発明は、下水処理場等で使用される汚泥掻寄機に関し、特に、ピンラック式の汚泥掻寄機において、ピンラック駆動装置でスカムスキマを連動するようにした汚泥掻寄機に関するものである。
【背景技術】
【０００２】
従来、汚泥掻寄機は、原水を流入するようにした沈澱池において、池底に沈積した汚泥を掻き集めて汚泥ピット内に一時貯留し、水面に浮遊するスカムはスカムスキマにて排出するように構成されている。
【０００３】
例えば、ピンラック式の汚泥掻寄機は、下面に多数の汚泥掻寄用フライトを取り付けたビームを、略矩形運動をするピンラック駆動装置に支持ポストを介して連結し、ビームの略矩形運動により、池底に沈積した汚泥を前方に掻き寄せるようにしている。
【０００４】
しかしながら、汎用されている往復動方式のチェーンレス式汚泥掻寄機は、槽底に沈澱した汚泥のみを掻き寄せて排出するだけで、スカム排出機能を有しないため、水面に浮遊するスカムの排出は、汚水の流れなどにて自然にスカムスキマに流入するのを待って行うか、又は別にスカム排出機構、例えば、スカム掻寄機を設置し、汚泥掻寄機とは別個の駆動装置にて駆動するようにしている。
このため、自然排出ではスカムの排出の効率が悪く、また別途スカム排出機構を設ける場合はスカム掻寄機を要し、設備が複雑になるとともに、その配線などの電気設備を必要とするという問題があった。
また、従来のピンラック式汚泥掻寄機は、スカムを掻き寄せることはできるものの、別途、電動式スカムスキマ等を設ける必要があった。
【発明の開示】
【発明が解決しようとする課題】
【０００５】
本発明は、上記従来の汚泥掻寄機が有する問題点に鑑み、ピンラック式の汚泥掻寄機において、ピンラック駆動装置でスカムスキマを連動するようにした汚泥掻寄機を提供することを目的とする。
【課題を解決するための手段】
【０００６】
上記目的を達成するため、本発明の汚泥掻寄機は、下面に多数の汚泥掻寄用フライトを取り付けたビームを、略矩形運動をするピンラック駆動装置に支持ポストを介して連結し、ビームの略矩形運動により、池底に沈積した汚泥を掻き寄せるようにした汚泥掻寄機において、支持ポストから後方に、スカムを掻き寄せるスカムブレードビームを略水平に延設するとともに、該スカムブレードビームの後方に可動式のスカムスキマを配設し、該スカムスキマとスカムブレードビームの間に、スカムブレードビーム又はビームの一部が当接することによりスカムスキマを操作するリンク機構を介設したことを特徴とする。
【発明の効果】
【０００７】
本発明の汚泥掻寄機によれば、下面に多数の汚泥掻寄用フライトを取り付けたビームを、略矩形運動をするピンラック駆動装置に支持ポストを介して連結し、ビームの略矩形運動により、池底に沈積した汚泥を掻き寄せるようにした汚泥掻寄機において、支持ポストから後方に、スカムを掻き寄せるスカムブレードビームを略水平に延設するとともに、該スカムブレードビームの後方に可動式のスカムスキマを配設し、該スカムスキマとスカムブレードビームの間に、スカムブレードビーム又はビームの一部が当接することによりスカムスキマを操作するリンク機構を介設することから、ピンラック駆動装置でビームと共にスカムスキマを連動することができ、これにより、スカムを無動力で効率的に排出し、沈澱池の維持管理を容易にするとともに、スカムスキマの作動用動力設備や制御電気設備を不要として、設備費用を安価にすることができる。
また、ピンラック式の汚泥掻寄機は、チェーン式の汚泥掻寄機に比較し、消耗部品が少なく補修費用が３０〜５０％と安価であり、ピンラック駆動装置で連動するスカムスキマと相俟って、初期設備費、維持管理費とも安価となる。
【発明を実施するための最良の形態】
【０００８】
以下、本発明の汚泥掻寄機の実施の形態を、図面に基づいて説明する。
【実施例１】
【０００９】
図１〜図４に、本発明の汚泥掻寄機の一実施例を示す。
この汚泥掻寄機は、下面に多数の汚泥掻寄用フライト１１を取り付けたビーム１を、前進、上昇、後退、下降の略矩形運動をするピンラック駆動装置２に支持ポスト３を介して連結し、ビーム１の略矩形運動により、池底に沈積した汚泥を掻き寄せるようにしている。
そして、この汚泥掻寄機は、支持ポスト３から後方に、スカムを掻き寄せるスカムブレードビーム４を略水平に延設するとともに、該スカムブレードビーム４の後方に可動式のスカムスキマ５を配設し、該スカムスキマ５とスカムブレードビーム４の間に、スカムブレードビーム４の一部が当接することによりスカムスキマ５を操作するリンク機構６を介設している。
【００１０】
ビーム１は、下面に多数の汚泥掻寄用フライト１１を取り付けた主ビーム１ａと、該主ビーム１ａの後端に揺動可能に連結され、汚泥掻寄用フライト１１及びシュー１２を取り付けた後部ビーム１ｂとを備えている。
ピンラック駆動装置２の支持ポスト３は、主ビーム１ａの前部に固定されており、これにより、ビーム１は、主ビーム１ａの前部が略矩形運動をするとともに、主ビーム１ａに枢着された後部ビーム１ｂが前後に摺動する。
【００１１】
ピンラック駆動装置２は、図４に示すように、水平方向に配設したピンラック２１と、このピンラック２１に噛合してその外周を周回移動するピンホイール２２とからなり、ピンホイール２２側を支持ポスト３を介して主ビーム１ａに連結することにより、主ビーム１ａを略矩形運動させる。
なお、ピンホイール２２は、モータ２３等にて定速或いは可変速的に駆動される。
【００１２】
スカムブレードビーム４は、図１〜図２に示すように、水面よりやや下で、支持ポスト３から後方に略水平に延設されている。
スカムブレードビーム４の上面には、スカムを掻き寄せる複数のスカムブレード４１が植設されるとともに、スカムスキマ５のリンク機構６に当接するストライカ４２が設置されている。
スカムブレードビーム４は、ピンラック駆動装置２によって略矩形運動を行い、その上面のスカムブレード４１によって、水面のスカムをスカムスキマ５の方に掻き寄せる。
【００１３】
スカムスキマ５は、図２に示すように、本実施例では、周壁の一部が軸方向にスリット状に開口するスキマパイプ５１を、水面付近で池の幅方向に配設したものからなる。
スキマパイプ５１は、その軸を中心に回動可能に支持されており、このスキマパイプ５１がリンク機構６により傾転することにより、その開口部からスカム水を呑み込んで端部から排出するようになっている。
なお、スカムスキマ５としては、このようなパイプ回転式の他に、例えば、トラフに可撓堰（図示省略）を取り付け、この可撓堰を水面下に押し込むことによってスカム水を呑み込むような方式も採用することができる。
【００１４】
リンク機構６は、図２〜図３に示すように、スカムブレードビーム４の後部上方に設けられたレバー軸６１と、このレバー軸６１に中間部が枢支され、その下部にスカムブレードビーム４のストライカ４２が当接する作動レバー６２と、スキマパイプ５１から立設されたパイプロッド６３と、該パイプロッド６３と作動レバー６２の上部とを連結するリンクロッド６４と、作動レバー６２のレバー軸６１付近に設けられ、スカムブレードビーム４の当接により揺動した作動レバー６２を元の位置に復帰させるウエイト６５及びその受け座６６とを備えている。
リンク機構６は、後退したスカムブレードビーム４のストライカ４２が、作動レバー６２の下部を押すことにより、作動レバー６２の上部が前方に倒れ、これにより、リンクロッド６４とパイプロッド６３を介して、その開口部からスカム水を呑み込むようにスキマパイプ５１が傾転する。
そして、傾転したスキマパイプ５１は、ストライカ４２が通過後、ウエイト６５により待機位置に復帰する。
なお、この復帰動作は、ウエイト６５による他、復帰用ストライカ（図示省略）を設け、この復帰用ストライカがスカムブレードビーム４の前進時に作動レバー６２を押すようにすることもできる。
【００１５】
次に、本実施例の汚泥掻寄機の動作を説明する。
ピンラック駆動装置２を駆動させると、主ビーム１ａが支持ポスト３を介して、前進、上昇、後退、下降の略矩形運動を繰り返すことにより、後部ビーム１ｂと協働して、池底に沈積した汚泥を前方の汚泥ピット７側に順次掻き寄せて行く。
【００１６】
このとき、図３（ａ）に示すように、支持ポスト３の後退動作により、スカムブレードビーム４のストライカ４２も後退し、作動レバー６２に近づく。
また、この後退動作中は、スカムブレード４１の先端が水面上に出て、スカムをスキマパイプ５１の方に掻き寄せる。
そして、図３（ｂ）に示すように、さらにストライカ４２が後退し、作動レバー６２に当接する。
【００１７】
さらに、図３（ｃ）に示すように、ストライカ４２の後退動作が継続し、ストライカ４２が外れるまで作動レバー６２が押される。
これらの動作により、レバー軸６１を中心に作動レバー６２が回転し、ピン連結したリンクロッド６４を引っ張る。
リンクロッド６４とスキマパイプ５１はピンで連結されており、スキマパイプ５１が傾転して開口部が水面下に入り、スカムをパイプ内に呑み込む。
【００１８】
次に、図３（ｄ）に示すように、ストライカ４２が作動レバー６２から外れると、ウエイト６５がレバー軸６１を中心に回転し、元の位置に戻る。
このウエイト６５の動作により、作動レバー６２が元の位置に戻り、リンクロッド６４を介してスキマパイプ５１も元の中立位置に戻って、スカムの呑み込み動作が終了する。
一方、ビーム１は下降し、汚泥の掻き寄せ動作に入り、ストライカ４２も作動レバー６２に当たることなく下降して前進する。
以上の動作を繰り返し、ビーム１の１周回毎にスカムスキマ５が無動力で作動する。
【００１９】
かくして、本実施例の汚泥掻寄機によれば、下面に多数の汚泥掻寄用フライト１１を取り付けたビーム１を、略矩形運動をするピンラック駆動装置２に支持ポスト３を介して連結し、ビーム１の略矩形運動により、池底に沈積した汚泥を掻き寄せるようにした汚泥掻寄機において、支持ポスト３から後方に、スカムを掻き寄せるスカムブレードビーム４を略水平に延設するとともに、該スカムブレードビーム４の後方に可動式のスカムスキマ５を配設し、該スカムスキマ５とスカムブレードビーム４の間に、スカムブレードビーム４の一部が当接することによりスカムスキマ５を操作するリンク機構６を介設することから、ピンラック駆動装置２でビーム１と共にスカムスキマ５を連動することができ、これにより、スカムを無動力で効率的に排出し、沈澱池の維持管理を容易にするとともに、スカムスキマ５の作動用動力設備や制御電気設備を不要として、設備費用を安価にすることができる。
また、ピンラック式の汚泥掻寄機は、チェーン式の汚泥掻寄機に比較し、消耗部品が少なく補修費用が３０〜５０％と安価であり、ピンラック駆動装置２で連動するスカムスキマ５と相俟って、初期設備費、維持管理費とも安価となる。
【００２０】
以上、本発明の汚泥掻寄機について、その実施例に基づいて説明したが、本発明は上記実施例に記載した構成に限定されるものではなく、例えば、リンク機構を操作するストライカを主ビームや後部ビームに設けるようにするなど、その趣旨を逸脱しない範囲において適宜その構成を変更することができる。
【産業上の利用可能性】
【００２１】
本発明の汚泥掻寄機は、ピンラック駆動装置でスカムスキマを連動するという特性を有していることから、スカムを無動力で効率的に排出し、沈澱池の維持管理を容易にするとともに、スカムスキマの作動用動力設備や制御電気設備を不要として、設備費用を安価にすることができるピンラック式汚泥掻寄機として好適に用いることができる。
【図面の簡単な説明】
【００２２】
【図１】本発明の汚泥掻寄機の一実施例を示す断面図である。
【図２】同要部拡大断面図である。
【図３】リンク機構によるスキマパイプの操作を示す段階図である。
【図４】ピンラック駆動装置を示す拡大図である。
【符号の説明】
【００２３】
１    ビーム
１ａ  主ビーム
１ｂ  後部ビーム
１１  フライト
１２  シュー
２    ピンラック駆動装置
２１  ピンラック
２２  ピンホイール
２３  モータ
３    支持ポスト
４    スカムブレードビーム
４１  スカムブレード
４２  ストライカ
５    スカムスキマ
５１  スキマパイプ
６    リンク機構
６１  レバー軸
６２  作動レバー
６３  パイプロッド
６４  リンクロッド
６５  ウエイト
６６  受け座
７    汚泥ピット
【図１】
2008073660.tif 000003
【図２】
2008073660.tif 000004
【図３】
2008073660.tif 000005
【図４】
2008073660.tif 000006